(57)【要約】【課題】  侵入発生時に侵入者を追跡できるようなシステムとし、侵入者に逃げられない侵入監視装置を得る。【解決手段】  侵入センサー２、電気錠３、カード操作機器４、防犯カメラ５等をそれぞれ適当数備え、通常モード時は、カード操作機器による入退室管理、電気錠による電気錠制御、侵入センサーによる侵入監視を行い、警備中に侵入センサー断で侵入発生を検知する複数の下位機器１と、複数の下位機器を集中管理するとともに、下位機器からの侵入発生通知を受けると、予めグループ化された部屋に対して侵入追跡モードとして下位機器に通知する上位機器６とを備え、下位機器１は、上位機器６からの通知を受けると、通常モードから侵入追跡モードに変更され、この侵入追跡モード中は、電気錠３を全て施錠させ、カード操作機器４を無効とし、更に防犯カメラ５による画面切替監視を行う。【選択図】    図１
2005182172.tif 000002
【特許請求の範囲】
【請求項１】
侵入センサー、電気錠、カード操作機器、防犯カメラ等をそれぞれ適当数備え、通常モード時は、カード操作機器による入退室管理、電気錠による電気錠制御、侵入センサーによる侵入監視を行い、警備中に侵入センサー断で侵入発生を検知する複数の下位機器と、
複数の下位機器を集中管理するとともに、下位機器からの侵入発生通知を受けると、予めグループ化された部屋に対して侵入追跡モードとして前記下位機器に通知する上位機器とを備え、
前記下位機器は、前記上位機器からの通知を受けると、通常モードから侵入追跡モードに変更され、この侵入追跡モード中は、電気錠を全て施錠させ、カード操作機器を無効とし、更に防犯カメラによる画面切替監視を行うことを特徴とする侵入監視装置。
【請求項２】
侵入センサー、電気錠、カード操作機器、防犯カメラ等をそれぞれ適当数備え、通常モード時は、カード操作機器による入退室管理、電気錠による電気錠制御、侵入センサーによる侵入監視を行い、警備中に侵入センサー断で侵入発生を検知する複数の下位機器と、
複数の下位機器を集中管理するとともに、下位機器からの侵入発生通知を受けると、予めグループ化された部屋に対して侵入追跡モードとして前記下位機器に通知する上位機器と、
前記上位機器から侵入発生を通知されると、それを画面表示する最上位機器とを備え、
前記下位機器は、前記上位機器からの通知を受けると、通常モードから侵入追跡モードに変更され、この侵入追跡モード中は、電気錠を全て施錠させ、カード操作機器を無効とし、更に防犯カメラによる画面切替監視を前記最上位機器の画面表示にて行うことを特徴とする侵入監視装置。
【請求項３】
最上位機器は、携帯電話に対して侵入者の行動を通知する機能を備えることを特徴とする請求項２記載の侵入監視装置。
【請求項４】
侵入追跡モード中は、下位機器のカード操作機器は侵入追跡モード用カードのみ通行を許可することを特徴とする請求項１〜請求項３のいずれかに記載の侵入監視装置。
【発明の詳細な説明】
【技術分野】
【０００１】
この発明は、侵入発生時に侵入者を追跡できる侵入監視装置に関するものである。
【背景技術】
【０００２】
従来の侵入監視装置においては、ビル等の建物を警備中に侵入センサー断で侵入発生を検知し、上位機器に侵入発生を通知することにより、侵入検知した部屋のみ特定ができるものが多い（例えば、特許文献１参照）。
【０００３】
【特許文献１】特開平５−２８４５０１号公報
【発明の開示】
【発明が解決しようとする課題】
【０００４】
しかし、従来の侵入監視装置では、通報を受けて警備員がその部屋に到着するまでに時間を要するため、侵入者が既に立ち去った後に到着し、侵入者に逃げられてしまうことが多々発生するという問題があった。
【０００５】
この発明は、上述のような課題を解決するためになされたもので、侵入発生時に侵入者を追跡できるようなシステムとし、侵入者に逃げられない侵入監視装置を提供するようにしたものである。
【課題を解決するための手段】
【０００６】
この発明に係る侵入監視装置においては、侵入センサー、電気錠、カード操作機器、防犯カメラ等をそれぞれ適当数備え、通常モード時は、カード操作機器による入退室管理、電気錠による電気錠制御、侵入センサーによる侵入監視を行い、警備中に侵入センサー断で侵入発生を検知する複数の下位機器と、複数の下位機器を集中管理するとともに、下位機器からの侵入発生通知を受けると、予めグループ化された部屋に対して侵入追跡モードとして下位機器に通知する上位機器とを備え、下位機器は、上位機器からの通知を受けると、通常モードから侵入追跡モードに変更され、この侵入追跡モード中は、電気錠を全て施錠させ、カード操作機器を無効とし、更に防犯カメラによる画面切替監視を行うようにしたものである。
【発明の効果】
【０００７】
この発明によれば、侵入者発生を検知した時点でグループ化された部屋全ての電気錠を施錠し、侵入者を閉じ込めて、侵入者を追跡するシステム構成となるので、警備員が到着するまでの間に侵入者が逃げることがないという効果がある。
【発明を実施するための最良の形態】
【０００８】
実施の形態１．
図１はこの発明を実施するための実施の形態１における侵入監視装置を示すシステム構成図、図２はこの発明の実施の形態１における侵入監視装置の追跡モードの処理手順を示すフローチャート、図３はこの発明の実施の形態１における侵入監視装置の侵入センサー異常検知後の処理手順を示すフローチャート、図４はこの発明の実施の形態１における侵入監視装置の携帯メール／動画の処理手順を示すフローチャートである。
【０００９】
図１において、１は警備中に侵入センサー断で侵入発生を検知する複数の侵入監視機器及び入退室管理機器から成る下位機器１で、侵入センサー２、電気錠３、カード操作機器４、防犯カメラ５をそれぞれ適当数備えている。この侵入監視機器及び入退室管理機器から成る下位機器１は、通常モード時は、カード操作機器４による入退室管理、電気錠３による電気錠制御、侵入センサー２による侵入監視を行っている。また、下位機器１は警備中に侵入センサー２断で侵入発生を検知する。６は複数の侵入監視機器及び入退室管理機器から成る下位機器１を集中管理する上位機器で、下位機器１からの侵入発生通知を受けると、予めグループ化設定された侵入追跡用部屋データに基づき、グループ内に侵入部屋があれば、グループ化された部屋全てに対して侵入追跡モード開始指示を下位機器１に通知する。７は上位機器６から指定部屋の侵入発生を通知されると、グラフィック等に表示する中央監視室から成る最上位機器である。
下位機器１は、警備中に侵入センサー２断で侵入発生を検知し、上位機器６に侵入発生を通知（イ）し、上位機器６は最上位機器７に指定部屋の侵入発生を通知（ロ）し、グラフィック等に表示させる。上位機器６は侵入発生通知（イ）を受け、予めグループ化設定された侵入追跡用部屋データに基づき、グループ内に侵入発生部屋があれば、グループ化された部屋全てに侵入追跡モード開始指示を通知（ハ）する。
【００１０】
通知された下位機器１は、図２のフローチャートに従って処理を行い、侵入追跡モードとなる。その時、扉の電気錠３は全て施錠されている。図２において、ステップＳ１にて上位機器６から侵入追跡モード開始指示が通知されたか判断し、通知されていればステップＳ２を経てステップＳで侵入追跡モードを開始する。更にステップＳ４にて侵入追跡モードを上位機器６に通知する。またステップＳ１で侵入追跡モード開始指示が通知されていなければ、ステップＳ６を経てステップＳ７で侵入追跡モードを終了する。更にステップＳ８にて侵入追跡モード終了を上位機器６に通知する。
【００１１】
侵入追跡モードに変更されると、図３のフローチャートに従って処理が行われ、侵入センサー２の異常検知（ステップＳ１１、Ｓ１２）で上位機器通知（ステップＳ１３）及び防犯カメラ５の切替のために実行のＯＮ出力（ニ）を行う（ステップＳ１４）。これにより防犯カメラ５により防犯カメラ監視９に画面切替指示が通知（ホ）され、画像切替が自由に行われる。また侵入センサー２が正常（ステップＳ１１、Ｓ１５）であれば、上位機器通知（ステップＳ１６）及び防犯カメラ５の実行のＯＦＦ出力を行う（ステップＳ１７）。又、侵入追跡モード中は、カード操作機器４は警備員用カードのみ操作可能とし、部屋扉の電気錠の施錠／解錠を警備員が自由にできるようにする。
【００１２】
中央監視室に警備員が在室していれば無線等で連絡し合えるが、いない場合は携帯メール／動画が有効となる。よって、侵入者の動行を警備員が知るために、携帯メール／動画を使用する。携帯メール／動画は、図４のフローチャートに従ってメール送信処理が行われる。メールに関しては、部屋名称等の内容(侵入者の現在場所内容)を携帯電話８に通知（ヘ）する（ステップＳ２１〜Ｓ２３参照）。動画に関しては、防犯カメラ監視９から最上位機器７にデータ通知（ト）された動画データを携帯電話８に通知（ヘ）する。
よって、上記動作により侵入者発生を検知した時点でグループ化された部屋全ての電気錠３を施錠し、侵入者を閉じ込めて、侵入者を追跡するシステム構成となる。
【００１３】
以上のように、この実施の形態１によれば、侵入監視機器１で警備中に侵入センサー２断で侵入発生を検知する。その時、上位機器６に侵入発生通知する。上位機器６は侵入通知を受けると、グループ化された部屋に対して侵入追跡モードとして下位機器１に通知し、下位機器１は通常モード処理を一旦停止し侵入追跡モードとし、部屋、非常口、シャッター等の扉を施錠させ、カード操作等の通常動作をできなくする。
侵入追跡モード中は、侵入センサー２の状態を上位機器に通知し上位機器に侵入者の位置を知らせ、下位機器の侵入センサー断状態の実行出力により防犯カメラ５の画面切替も行う。
中央監視室７で防犯カメラ画面及びグラフィック画面より、警備員にリアルタイムに侵入者動行を連絡でき、又携帯メールにより侵入者動行を通知する機能も装備する。これにより、中央監視室７にいなくても追跡できることとなる。
侵入追跡モード中は、下位機器１で侵入追跡モード用カードのみ許可することで、扉を連続解錠でき、警備員が各部屋内に自由に出入りできるようにする。
【図面の簡単な説明】
【００１４】
【図１】この発明の実施の形態１における侵入監視装置を示すシステム構成図である。
【図２】この発明の実施の形態１における侵入監視装置の追跡モードの処理手順を示すフローチャートである。
【図３】この発明の実施の形態１における侵入監視装置の侵入センサー異常検知後の処理手順を示すフローチャートである。
【図４】この発明の実施の形態１における侵入監視装置の携帯メール／動画の処理手順を示すフローチャートである。
【符号の説明】
【００１５】
１  侵入監視機器及び入退室管理機器（下位機器）
２  侵入センサー
３  電気錠
４  カード操作機器
５  防犯カメラ
６  上位機器
７  中央監視室（最上位機器）
８  携帯電話
９  防犯カメラ監視
【図１】
2005182172.tif 000003
【図２】
2005182172.tif 000004
【図３】
2005182172.tif 000005
【図４】
2005182172.tif 000006